(57)【要約】本発明は、ビデオ診断の分野に関する。より具体的には、本発明は、化学物質および／または生物学的物質を生体内でかつその部位で検出するための、かつ体腔内の物理的状態を生体内で検出するための、システムおよび方法に関する。図１は、ガラス（２３）のスラブによって形成されるか、または、２片のガイド（２３Ａおよび２３Ｂ）の間に形成される相互作用チャンバ（２２）を示す。光源（２４）を使用して相互作用チャンバを照射し、光学的検出器（２６）が相互作用チャンバ内の変化を検出する。リフレクタ（２５）を使用して、光線（２７’）を光源（２４）から代替路（２７）に沿って再び方向づけてもよい。
2004523274.tif 000002
【特許請求の範囲】
【請求項１】
生体内の状態を測定するためのシステムであって、
光学的変化を生成するために生体内試料に反応する少なくとも１つの指示薬を中に有する、前記試料を収容するための少なくとも１つの相互作用チャンバと、
前記相互作用チャンバを照射するための少なくとも１つの照射源と、
前記相互作用チャンバに発生する光学的変化を検出するための少なくとも１つの光学的検出器と、
を具備するシステム。
【請求項２】
前記相互作用チャンバの少なくとも一部は、照射の波長に透明である、請求項１に記載のシステム。
【請求項３】
複数の相互作用チャンバを具備する、請求項１に記載のシステム。
【請求項４】
生体内試料を吸い上げるためにマイクロポンプを更に具備する、請求項１に記載のシステム。
【請求項５】
一方の相互作用チャンバが一方の指示薬を含み、他方の相互作用チャンバが他方の指示薬を含む、請求項３に記載のシステム。
【請求項６】
前記相互作用チャンバは、選択的に、生体内試料の通過を可能にするが前記指示薬の通過は不可能である少なくとも１つの膜によって封止される、請求項１に記載のシステム。
【請求項７】
前記指示薬は、相互作用チャンバ壁に固定化される、請求項１に記載のシステム。
【請求項８】
前記指示薬は、前記相互作用チャンバへ制限される付属物に固定化される、請求項１に記載のシステム。
【請求項９】
前記光学的検出器は、前記相互作用チャンバの画像を得るための撮像装置である、請求項１に記載のシステム。
【請求項１０】
前記画像を送信するための送信機を更に具備する、請求項９に記載のシステム。
【請求項１１】
前記画像を受信するための受信システムを更に具備する、請求項１０に記載のシステム。
【請求項１２】
前記光学的検出器は、体腔の画像と前記相互作用チャンバの画像とを得るための撮像装置である、請求項１に記載のシステム。
【請求項１３】
前記光学的検出器は、体腔の画像と前記相互作用チャンバの画像とを得るための、かつそのビデオ信号を生成するための撮像装置である、請求項１に記載のシステム。
【請求項１４】
前記ビデオ信号を送信するための送信機と、前記ビデオ信号を受信するための受信システムとを更に具備する、請求項１３に記載のシステム。
【請求項１５】
前記システムは、体腔内に挿入されるように設計される装置内に含まれるかまたはこれに連結される、請求項１に記載のシステム。
【請求項１６】
前記システムは、体腔内に挿入されるように設計された装置内に含まれるかまたはこれに連結される、請求項９に記載のシステム。
【請求項１７】
前記システムは、体腔内に挿入されるように設計された装置内に含まれるかまたはこれに連結される、請求項１２に記載のシステム。
【請求項１８】
光学的システムを更に具備する、請求項１２に記載のシステム。
【請求項１９】
生体内の状態を測定するためのシステムであって、少なくとも２つの対向する端部を有し、
光学的変化を生成するために生体内試料に反応する少なくとも１つの指示薬を各々中に有する、前記試料を含むための２つの相互作用チャンバと、
前記相互作用チャンバを照射するための少なくとも１つの照射源と、
前記相互作用チャンバに発生する光学的変化を検出するための、かつ生体内画像を獲得するための、２つの画像センサと、
を具備し、
前記相互作用チャンバおよび撮像装置は、各々が前記システムの対向する端部に位置決めされるシステム。
【請求項２０】
前記システムの要素に電力を供給するためにバッテリを更に具備する、請求項１に記載のシステム。
【請求項２１】
体腔状態をその部位で測定するためのシステムであって、
光学的変化を生成するために内腔試料に反応する少なくとも１つの指示薬を含む、前記内腔試料を含むための少なくとも１つの相互作用チャンバと、
前記体腔および前記相互作用チャンバを照射するための少なくとも１つの照射源と、
前記内腔を画像形成するための、かつ前記相互作用チャンバを画像形成するための少なくとも１つの撮像装置と、
を具備するシステム。
【請求項２２】
生体内で胃腸管状態を測定するための装置であって、
光学的変化を生成するために胃腸管環境からの試料に反応する少なくとも１つの指示薬を含む、前記試料を含むための少なくとも１つの相互作用チャンバと、
前記相互作用チャンバを照射するための少なくとも１つの照射源と、
前記相互作用チャンバに発生する生体内光学的変化を検出するための少なくとも１つの光学的検出器と、
を具備する装置。
【請求項２３】
胃腸管を画像形成するための、かつ生体内で胃腸管状態を測定するための装置であって、
光学的変化を生成するために胃腸管環境からの試料に反応する少なくとも１つの指示薬を含む、前記試料を含むための少なくとも１つの相互作用チャンバと、
前記胃腸管および前記相互作用チャンバを照射するための少なくとも１つの照射源と、
前記胃腸管を画像形成するためのかつ前記相互作用チャンバを画像形成するためのかつそのビデオ信号を生成するための少なくとも１つの撮像装置と、
を具備する装置。
【請求項２４】
前記ビデオ信号を送信するための送信機を更に具備する、請求項２３に記載の装置。
【請求項２５】
胃腸管状態をその部位で測定するための装置であって、
光学的変化を生成するために胃腸管環境からの試料に反応する少なくとも１つの指示薬を含む、前記試料を含むための少なくとも１つの相互作用チャンバと、
前記胃腸管および前記相互作用チャンバを照射するための少なくとも１つの照射源と、
前記胃腸管を画像形成するための、かつ前記相互作用チャンバを画像形成するための少なくとも１つの撮像装置と、
を具備する装置。
【請求項２６】
前記装置は嚥下可能なカプセルである、請求項２５に記載の装置。
【請求項２７】
生体内で体腔状態を測定するための方法であって、
光学的変化を生成するために内腔試料に反応する少なくとも１つの指示薬を中に有する相互作用チャンバに前記内腔試料を受け取るステップと、
前記相互作用チャンバを照射するステップと、
前記相互作用チャンバに発生する光学的変化を検出するステップと、
を含む方法。
【請求項２８】
前記相互作用チャンバの少なくとも一部は、照射の波長に透明である、請求項２７に記載の方法。
【請求項２９】
前記光学的検出器は撮像装置であり、前記光学的変化を検出するステップは、前記相互作用チャンバを画像形成するステップである、請求項２７に記載の方法。
【請求項３０】
前記相互作用チャンバの画像のビデオ信号を生成するステップを更に含む、請求項２９に記載の方法。
【請求項３１】
前記ビデオ信号を受信システムへ送信するステップと、前記ビデオ信号を受信するステップと、を更に含む、請求項３０に記載の方法。
【請求項３２】
生体内で胃腸管状態を測定するための方法であって、
光学的変化を生成するために胃腸管からの試料に反応する少なくとも１つの指示薬を中に有する相互作用チャンバに前記試料を受け取るステップと、
前記相互作用チャンバを照射するステップと、
前記相互作用チャンバに発生する生体内光学的変化を検出するステップと、
を含む方法。
【請求項３３】
光学的検出器は撮像装置であり、前記光学的変化を検出するステップは、前記相互作用チャンバを画像形成しそのビデオ信号を生成するステップである、請求項３２に記載の方法。
【請求項３４】
前記ビデオ信号を受信システムへ送信するステップと、前記ビデオ信号を受信するステップと、を更に含む、請求項３３に記載の方法。
【請求項３５】
胃腸管を画像形成するための、かつ生体内で胃腸管状態を測定するための方法であって、
光学的変化を生成するために胃腸管からの試料に反応する少なくとも１つの指示薬を中に有する相互作用チャンバに前記試料を受け取るステップと、
前記相互作用チャンバを照射するステップと、
前記胃腸管および前記相互作用チャンバを画像形成しそのビデオ信号を生成するステップと、
を含む方法。
【請求項３６】
前記ビデオ信号を受信システムへ送信するステップと、前記ビデオ信号を受信するステップと、を更に含む、請求項３５に記載の方法。
【請求項３７】
胃腸管状態をその部位で測定するための方法であって、
光学的変化を生成するために胃腸管からの試料に反応する少なくとも１つの指示薬を中に有する相互作用チャンバに前記試料を受け取るステップと、
前記相互作用チャンバを照射するステップと、
前記胃腸管および前記相互作用チャンバを画像形成するステップと、
を含む方法。
【請求項３８】
胃腸管を画像形成するための、かつ生体内で胃腸管状態を測定するためのカプセルであって、
光学的変化を生成するために胃腸管環境からの試料に反応する少なくとも１つの指示薬を含む、前記試料を含むための少なくとも１つの相互作用チャンバと、
前記胃腸管および前記相互作用チャンバを照射するための少なくとも１つの照射源と、
前記胃腸管を画像形成するためのかつ前記相互作用チャンバを画像形成するためのかつそのビデオ信号を生成するための少なくとも１つの撮像装置と、
前記ビデオ信号を受信システムへ送信するための送信機と、
を含むシステムを具備するカプセル。
【請求項３９】
前記カプセルは２つの対向する端部を有し、前記カプセルは２つの相互作用チャンバと２つの撮像装置を具備し、前記相互作用チャンバおよび前記撮像装置は、各々が前記カプセルの対向する端部に位置決めされる、請求項３８に記載のカプセル。
【請求項４０】
ビデオ信号を送信するための送信機であって、
光学的変化を生成するために胃腸管環境からの試料に反応する少なくとも１つの指示薬を含む、前記試料を含むための少なくとも１つの相互作用チャンバと、
体腔および前記相互作用チャンバを照射するための少なくとも１つの照射源と、
前記体腔を画像形成するための、かつ前記相互作用チャンバを画像形成するための、かつそのビデオ信号であってこの送信機によって送信される該ビデオ信号を生成するための少なくとも１つの撮像装置と、
を具備するシステムと動作可能である送信機。
【請求項４１】
前記送信機は、前記ビデオ信号を体腔外部にある受信システムへ送信する、請求項４０に記載の送信機。
【請求項４２】
ビデオ信号を受信するための受信システムであって、
光学的変化を生成するために胃腸管環境からの試料に反応する少なくとも１つの指示薬を含む、前記試料を含むための少なくとも１つの相互作用チャンバと、
体腔および前記相互作用チャンバを照射するための少なくとも１つの照射源と、
前記体腔を画像形成するための、かつ前記相互作用チャンバを画像形成するための、かつそのビデオ信号を生成するための少なくとも１つの撮像装置と、
前記受信システムによって受信される前記ビデオ信号を送信するための少なくとも１つの送信機と、
を具備するシステムと操作可能である受信システム。
【発明の詳細な説明】
【技術分野】
【０００１】
本発明は、生体内診断の分野に関する。より具体的には、本発明は、化学物質および／または生物学的物質を生体内でかつその部位で検出するための、および、体腔の物理的状態を生体内で検出するための、システムおよび方法に関する。
【背景技術】
【０００２】
体液内または体腔内の物質の非典型的な濃度または存在が、身体の生物学的状態を示す。たとえば、胃腸管内に赤血球が高濃度で存在することは、胃腸管に沿った出血の場所に依存して、異なる病理を示す。同様に、たとえば高熱等の身体の物理的状態の異常が、病理を示すこともある。異常状態を初期に検出し、特定しかつ場所を突きとめることは、正確に診断し様々な病理を治療するために重要である。
【０００３】
医療検出キットは通常、疑わしい物質の存在を求めて体液試料を生体外検査することに基づく。この検出方法は、異常に発生する物質の発生源を容易に突きとめたり特定したりすることはできない。多くの場合、体腔内で異常に発生する物質を突きとめることは、病理の特定に大いに寄与し、したがって、特定された病理の容易な治療に寄与する。たとえば、胃の出血は潰瘍を示すこともあり、一方、小腸の出血は腫瘍を示すこともある。
【０００４】
内視鏡によって胃腸管の出血を検出することは可能であるが、この可能性は、上部胃腸管または下部胃腸管に限定される。したがって、胃腸管の他の部分、たとえば小腸での出血は、内視鏡では容易には検出されない。さらに、胃腸管の出血を検出するための一般に使用される診断キットおよび方法は、出血の発生源を特定することはできず、病理の種類を決定するためには更なる検査を実施しなければならない。
【発明の開示】
【発明が解決しようとする課題】
【０００５】
本発明は、生体内状態を生体内でかつその部位で検出するためのシステムおよび方法を提供する。
【０００６】
本願で参照される「体腔状態」という用語は、体腔内の物質の存在および／または濃度に関し、かつ／または、体腔に主流である物理的状態、たとえば、温度、圧力または電場に関するが、これらに限定されない。
【０００７】
物質は、とりわけ、イオン、分子、細胞、化合物、たとえば、タンパク質、糖および血液成分であってもよい。
【課題を解決するための手段】
【０００８】
本発明の実施形態によるシステムは、少なくとも１つの相互作用チャンバと、少なくとも１つの光源と、少なくとも１つの光学的検出器と、を含む。本発明の実施形態によると、相互作用チャンバは、生体内（内腔）試料を含むことができ、少なくとも１つの指示薬を含んでその指示薬が試料に反応することができるようにする。内腔試料は、主流状態を有するかまたはおそらく物質を含んで、相互作用チャンバ内に含まれる指示薬が主流の状態に反応するかまたはその物質に反応するようにし、その反応は、結果として相互作用チャンバに発生する光学的変化になる。
【０００９】
光源は相互作用チャンバを照射し、これを照射する光の波長では透明であり、光学的検出器は、おそらく相互作用チャンバに発生する生体内光学的変化を検出する。
【００１０】
本発明の実施形態によると、システムは体腔内に挿入され、体腔環境からの試料が、少なくとも１つの指示薬を含む相互作用チャンバ内に引かれる。相互作用チャンバは、体腔流体および物質に浸透可能であり、それらがチャンバ内に入るのは可能であるが、指示薬がチャンバから体腔環境内に漏れることはできないように設計されることが好ましい。
【００１１】
指示薬は、相互作用チャンバの選択的膜内に液体または懸濁液として含まれてもよく、それによって、体腔流体の通過は許容されるが、指示薬の通過は許容されない。あるいは、指示薬は、指示薬が相互作用チャンバを離れることができないように相互作用チャンバ壁にまたは相互作用チャンバへ制限される付属物に固定化されてもよい。指示薬を含む相互作用チャンバの他の構成は可能である。
【００１２】
試料と指示薬との間の反応は、結果として光学的変化になることもあり、たとえば、相互作用チャンバ内の色の変化または光学的密度の変化であるが、それらに限定されない。これらの光学的変化は、光学的検出器によって検出され、おそらく画像形成される。検出された画像は、診断的情報を含むこともあり、後に検索されるように格納されてもよく、または、外部受信機へ送信されてもよい。
【００１３】
システムは、本発明の実施形態によると、米国特許第５，６０４，５３１号明細書に記載された嚥下可能なカプセルと利用されるものかまたは国際特許公開第０１／６５９９５号パンフレットに記載されたものとといった画像形成および送信システムを使用してもよい。米国特許第５，６０４，５３１号および国際特許公開第０１／６５９９５号は、本願の譲受人に譲渡されており、参照してここに組み込まれる。
【００１４】
本発明の実施形態によると、相互作用チャンバは、温度等の物理的状態に反応することができるか、または、体腔流体内に存在してもよい特定の化学物質または生物学的物質に反応することができる指示薬を含む。光学的変化は、単に体腔環境内の物質の存在を検出しこれを示す定性的であってもよく、かつ／または、体腔環境内の物質の濃度を示す定量的であってもよい。
【００１５】
本発明の実施形態による方法は、本発明の実施形態によりシステムを体腔内に挿入するステップと、内腔試料および／またはおそらく内腔試料内に含まれる物質が指示薬に反応することができるように相互作用チャンバに内腔試料を受け取るステップと、相互作用チャンバを照射するステップと、相互作用チャンバに発生する光学的変化を検出するステップと、を含む。
【００１６】
本発明の実施形態によると、本発明のシステムは、たとえば、針、ステント、内視鏡または嚥下可能なカプセル等の、体腔内に挿入されるように設計された装置に取り付けられるかまたは含まれるときに、体腔内に挿入されることができる。
【００１７】
本発明の１つの実施形態において、光学的検出器は、たとえば、ＣＣＤ、光ダイオードまたはＣＭＯＳ画像形成チップ等の撮像装置である。１つの実施形態において、光学的変化を画像形成することができる。
【００１８】
更に別の実施形態において、システムは、体腔状態をその部位で検出することができる。１つの実施形態によると、光学的検出器は、体腔と、相互作用チャンバに発生する光学的変化と、の両方を画像形成する撮像装置である。体腔を画像形成することによって、光学的変化の発生を体腔の特定の部位に突きとめることができ、かつ病理が特定され体腔の一定の領域に突きとめることができるように、所与の時間における体腔内のシステムの場所に関する情報を与える（たとえば、上述の米国特許第５，６０４，５３１号明細書に記載されるように）。
【００１９】
本発明の別の実施形態において、システムは、たとえば、嚥下可能なカプセル等の、胃腸管全体を自立的に画像形成し試料採取することができる装置内に含まれる。
【発明を実施するための最良の形態】
【００２０】
本発明は、添付の図面に関連して取られた下記の詳細な説明からより完全に理解され認識される。
【００２１】
下記の記載では、本発明の様々な態様が述べられる。説明目的のために、本発明の徹底的な理解を提供するために、特定の構成および詳細が述べられる。しかし、ここに呈される特定の詳細なしでも本発明を実施することができることは、当業者には明らかである。さらに、本発明を曖昧にしないように、公知の特徴は省略されるかまたは簡略にされている場合がある。
【００２２】
図１を参照すると、本発明のシステムの実施形態が概略的に例示される。当該システムは、相互作用チャンバ２２と、相互作用チャンバ２２を照射する光源２４と、たとえば相互作用チャンバ２２を画像形成することによって、相互作用チャンバ２２内の光学的変化を検出するための光学的検出器２６と、を具備する。相互作用チャンバ２２は、物理的状態に対して反応するかまたは物質に反応することができる、色の変化または光密度の変化等の光学的に検出可能な結果を提供する指示薬（図示せず）を含む。
【００２３】
システムが体腔内に導入されると、腔環境が試料採取される。内腔試料は、たとえば相互作用チャンバの毛管作用によって、相互作用チャンバ内に受動的に引かれてもよく、または、たとえば浸透ポンプ（シリコンで利用可能）等の業界で公知のいずれの適切な機械的マイクロポンプを使用することによって、試料が能動的に吸い上げられてもよい。あるいは、試料採取は、定期的に、たとえばスイッチによって制御されてもよい。
【００２４】
相互作用チャンバ２２は、システムが体腔環境の新しい領域を試料採取するときにチャンバ内の試料排出および交換を可能にするように、各々が２つの開口を具備してもよい。
【００２５】
相互作用チャンバ２２は、体腔流体等の内腔試料を収容するように構成され、指示薬または指示薬の組み合わせを具備し、指示薬と試料またはおそらく試料に含まれる物質との間の反応が相互作用チャンバ２２で発生するようにする。
【００２６】
相互作用チャンバ２２は、その中で発生する光学的変化が光学的検出器２６によって検出されるように、光源２４によって照射される。これらの光学的変化は、試料内で主流である物理的状態および指示薬の作用の結果であるか、または、指示薬と試料に含まれる単数または複数の物質との間の相互作用の結果である。光学的変化を検出するかまたは画像形成するために、少なくとも相互作用チャンバ２２の一部は、照射の波長で透明であることが好ましい。
【００２７】
相互作用チャンバ２２は、ガラス２３のスラブへとエッチングされた毛細管として形成されてもよく、または、２つのガラススラブ２３Ａおよび２３Ｂの間に形成されてもよく、その一方（２３Ｂ）は、予め形成されたスロットまたはチャネルを含む。
【００２８】
相互作用チャンバは、プラスチック、ガラス等のいずれの適切な材料から作られてもよいことが認識される。材料が適切であるか否かを判断する際に考慮すべきパラメータは、たとえば、材料の透明性、体内使用のための安全性、内腔状態におけるまたはその中で起こり得る相互作用によって与えられる腐食における耐久性、などであってもよい。
【００２９】
システムは、１つまたはそれ以上の物理的状態、または、１つまたはそれ以上の物質の存在および／または濃度を同時に検出することができるように、１つまたはそれ以上の相互作用チャンバを具備することができる。
【００３０】
相互作用チャンバ２２内に含まれる指示薬は、反応性の化学成分、酵素または細胞等の生物学的に活性な因子、免疫試薬、または、物理的状態に反応するかまたは物質に反応するのに適切ないずれの指示薬または指示薬の混合物であってもよい。
【００３１】
特定の反応要件および特定の指示薬／物質の特性にしたがって、指示薬は、相互作用チャンバに溶液状でまたは固体形態で含まれてもよく、たとえば相互作用チャンバ壁を塗布する指示薬層、または、相互作用チャンバに制限された付属物に固定化された指示薬としてである。たとえば、指示薬が塗布されたストリップが相互作用チャンバ壁に固定されてもよく、または、指示が塗布されたビーズが相互作用チャンバ内に閉じ込められてもよい。たとえば、オルトトリジンを、相互作用チャンバ壁にまたは相互作用チャンバに固定されたストリップに、染み込ませてもよい。相互作用チャンバに入る体腔環境内に存在する赤血球は、溶血された解放する遊離ヘモグロビンであってもよく、これは、オルトトリジンの酸化に触媒作用を果たし、青い色を生成する。色変化の強度は、体腔流体の血液量に比例する。ｐＨ指示薬、糖の指示薬、特定の物質または細胞に親和性を有する抗体等の他の指示薬を使用してもよい。本発明のシステムは、体腔の異なる物理的状態及びその環境を検出するのにも使用することができる。したがって、たとえば、体腔の異なる領域の温度変化は、検知された温度にしたがって色が変化する指示薬を使用することによって検出されることができる。
【００３２】
指示薬と物質との間の反応は可逆的であってもよく、その場合、指示薬は複数の物質源を検出するために使用することができ、各源は、光学的変化の単一の事象として示す。また、反応速度論は、光学的変化の強度が物質の濃度に比例するようなものであってもよく、これにより物質の濃度を導き出すことができる。
【００３３】
相互作用チャンバ２２は、光源２４によって照射され、これは、相互作用チャンバ２２および光学的検出器２６に適合可能ないずれの照射源であってもよい。発光ダイオード（ＬＥＤ）等の光源を使用することもできる。光源２４から相互作用チャンバ２２へ、かつそれらを通って光学的検出器２６へ光線を集め／方向づけるために、任意に、コリメータまたはリフレクタ２５を使用してもよい。
【００３４】
光学的検出器２６は、相互作用チャンバ２２を通って進む光線を受け取り処理するのに適切ないずれの装置であってもよい。
【００３５】
システムは、相互作用チャンバ２２が、一方の側の光源２４と他方の側の光学的検出器２６の間に位置決めされるように、設定されてもよい。光源２４から発せられる光線（矢印２７’によって表される）は、コリメータまたはリフレクタ２５によって集められ、相互作用チャンバ２２を含むガラススラブ２３に方向づけられる（矢印２７によって表される）。光線（矢印２７によって表される）は、ガラススラブ２３および相互作用チャンバ２２を通って進み、光学的検出器２６によって受け取られる。光学的検出器２６は、光学的変化を検出するのに適切ないずれの検出器であってもよく、たとえば、ＣＣＤ、ＣＭＯＳ画像形成チップ、光ダイオード等の撮像装置であってもよい。
【００３６】
光学的検出器２６は、たとえば相互作用チャンバの画像を形成することによって、受け取った光線を処理する。画像は、光学的検出器２６に格納されてもよく、または、外部受信システムに更に転送されてもよい。
【００３７】
本発明のシステムの構成要素は、特にシステム用に設計されてもよく、または、システムは、体腔で作用する他のシステムからいくつかの構成要素を使用してもよく、したがって既存の構成要素を経済的に活用する。たとえば、本発明のシステムは、体腔内に挿入されるための医療装置に組み込まれるかまたはこれに固定されてもよく、たとえば、胃腸管を通って進むことができる針、ステント、内視鏡またはカプセルである。内視鏡は、作動中に、光源を使用し、画像形成装置を使用することもある。このようにして、本発明のシステムは、内視鏡に組み込まれることができ、物質の存在および／または濃度を検出するかまたは体腔の物理的状態を測定するために、内視鏡の光源および画像形成装置を使用する。
【００３８】
次に図２を参照すると、これは、本発明の実施形態により、システムを具備する装置を概略的に例示する。装置は、業界で公知のカプセルと同様に、胃腸管および血管等の体腔内に挿入され、かつこれを通って進むことができる。
【００３９】
たとえば、米国特許第５，６０４，５３１号明細書に記載の嚥下可能なカプセルは消化管全体を通って進むことができ、したがって、自立したビデオ内視鏡として作動することができる。本発明の実施形態により任意に使用されるカプセルは、ビデオカメラシステム等の画像形成システム、および、送信機、任意にワイヤレス送信機を含んでもよく、これは、画像形成システムのビデオ出力を送信する。カプセルの正確な位置は、所与の時間で知ることができ、特定の画像を胃腸管内のカプセルの特定の位置に関連づけることができる。他のカプセルは、Ａｌｆａｎｏ氏に付与された米国特許第６，２４０，３１２号およびＲｅｆａｅｌ氏による国際特許公開第０１／５０９４１号パンフレットに記載されており、両方とも、参照してここに組み込まれる。本発明の別の実施形態により任意に使用されるカプセルは、電気モータによって駆動されてもよいかまたは気流内の構成によって回転されてもよい機械的推進器等の動作機構を有するリモートコントロール可能なマイクロサイズの装置であってもよい。別のカプセルは、外部電磁波によって充電されることができ、かつカプセルの回転を開始することができる回転機構を含んでもよい。
【００４０】
図２を参照すると、装置３０は、平面的な光源３２と、ＣＣＤまたはＣＭＯＳ画像形成チップ等の画像形成装置３６と、相互作用チャンバ３８とを具備し、すべてが光学窓３５の背後に位置決めされている。装置３０は、装置の要素に電力を供給するためのバッテリ３１と、画像形成装置３６から外部受信システム（図示せず）へ信号を送信するための送信機３４と、を更に具備する。別の実施形態において、装置３０は、相互作用チャンバ３８を照射するために、白色光ＬＥＤ等のＬＥＤを使用してもよい。更に別の実施形態において、装置３０は、装置の要素に電力を提供するために、外部から電力供給された機構を含んでもよい。また、画像形成装置３６は、光学システム、たとえば、マイクロレンズのアレイおよび集束素子を含んでもよい。本発明の実施形態において、装置は、複数の画像形成装置と、任意にその対応光学的システムと、任意に複数の照射源を含んでもよい。たとえば、複数の画像形成装置および任意の複数の相互作用チャンバは、複数方向の試料採取のためにかつ／または体腔を見るために、装置の両側に位置決めされてもよい。
【００４１】
装置３０は、胃腸管を通って進みそれから試料採取することができるカプセルとして例証されているが、他の体腔を通って進みそれから試料採取することができる他の装置も、本発明の実施形態により可能である。
【００４２】
たとえば嚥下によってひとたび装置３０が胃腸管に挿入され、画像形成装置３６および光源３２が作動すると、胃腸管壁３９および相互作用チャンバ３８は、光源３２によって直接照射され、画像形成装置３６によって画像形成される。画像は、たとえば米国特許第５，６０４，５３１号明細書に記載されるように、外部受信装置へ送信される。
【００４３】
相互作用チャンバ３８は、胃腸管流体３７が、上述のように受動的にまたは能動的に、開口３８’を通って相互作用チャンバ３８に入ることができるように、胃腸管環境に開いている。相互作用チャンバ内に含まれる指示薬（図示せず）は、相互作用チャンバに制限される。指示薬は、図２に例証され、かつ後述されるように相互作用チャンバ内の選択的なバリアのため、上述のように固定化されてもよく、または、相互作用チャンバを離れることができなくてもよい。
【００４４】
図２に例示された実施形態において、相互作用チャンバ３８は、選択的膜３３を具備し、これによって胃腸管流体３７が入ることは可能であるが、相互作用チャンバ３８から指示薬が漏れることはできない。
【００４５】
装置３０が胃腸管を下へ進行するときに、微少な量の胃腸管流体３７が相互作用チャンバ３８に徐々に入り、単一の相互作用チャンバ内で胃腸管全体から試料採取することができる。あるいは、胃腸管流体の１つの領域で相互作用チャンバに入った胃腸管流体が、胃腸管流体の新しく到達された領域からの流体によって変位されるように、システムが構成されてもよい。この場合、相互作用チャンバは、指示薬を相互作用チャンバに制限するために２つの開口と２つの膜とを有する。
【００４６】
装置３０は、腔のいたるところで胃腸管環境から絶えず試料採取する。このようにして、胃腸管の病理の発生源または正確な場所を検出することができる。たとえば、胃腸管の出血の発生源は、下記のように検出することができる。患者は装置３０を自分の胃腸管に挿入している。装置は、撮像装置と、血液または血液成分の指示薬を含む少なくとも１つの相互作用チャンバと、を具備する。装置は、患者の胃腸管を通って受動的に移動し、胃腸管と相互作用チャンバとの両方を画像形成する。胃腸管の出血場所で、試料採取された胃腸管流体は、血液を含む。血液は、相互作用チャンバ３８内の指示薬に反応し、結果として光学的変化になり、画像形成装置３６によって画像形成される。光学的変化の画像および胃腸管の場所の画像が、外部オペレータに送信され、そのオペレータが、画像が生成されたときに装置３０の場所を特定することができ、したがって、出血の発生源を特定することができる。胃腸管に沿った数か所の出血の発生源を特定することができ、各場所における血液の濃度によって、各発生源で出血の強さを決定することができる。
【００４７】
図２に概略的に示される装置３０は、米国特許第５，６０４，５３１号明細書に記載のカプセルと同様に、胃腸管内に挿入され管全体を通って進むように設計される。しかし、上述のように、装置３０は、いずれの特定の構成に限定されない。むしろ、装置は、体腔に挿入され、かつ体腔を通って進むのに適切であるか、または体腔内に挿入される装置に含まれるのに適切であるいずれの形状であってもよい。さらに、特定の撮像装置および特定のエネルギ要件により、装置要素（たとえば、照射源および送信機）は、ケーブルによって外部電力源かまたは外部受信システムに接続されてもよい。
【００４８】
次に図３を参照すると、これは、装置３０の撮像装置によって得られる画像視域を概略的に示す。本発明の実施形態によると、胃腸管壁と相互作用チャンバとの両方を画像形成するために、単一の画像形成装置（図２の３６）が使用される。したがって、画像形成装置から得られる画像視域４０は、胃腸管壁４９の画像と相互作用チャンバ４８の画像との両方を含む。画像視域４０の画像４８に現れる色のパターンまたは他の光学的変化が胃腸管の異なる内腔物質に対応するように、異なる相互作用チャンバ４８ＡからＤは異なる指示薬を含んでもよい。
【００４９】
画像視域は、複数の異なる画像形成装置または光学検出器から得られた異なる画像から得られてもよく、それらは、便宜上、画像視域４０に類似した１つの画像視域に組み合わせられることが認識される。
【００５０】
したがって、本発明のシステムを使用することによって、体腔のいずれの場所の物質または物理的状態の「プロファイル」を得ることが可能である。胃腸管壁４９の画像から導き出されるデータとともに画像４８から導き出される「プロファイル」は、胃腸管診断等の生体内診断に使用することができる。
【００５１】
本発明は、上記に特に示され述べられたものに限定されないことが、当業者によって認識される。むしろ、本発明の範囲は、特許請求の範囲によって定められる。
【図面の簡単な説明】
【００５２】
【図１】本発明の実施形態によるシステムの概略側面図である。
【図２】本発明の実施形態によるシステムを具備するカプセルの概略図である。
【図３】本発明の実施形態によるシステムによって得られる画像視域の概略図である。
【図１】
2004523274.tif 000003
【図２】
2004523274.tif 000004
【図３】
2004523274.tif 000005
【国際公開パンフレット】
2004523274.tif 000006
2004523274.tif 000007
2004523274.tif 000008
2004523274.tif 000009
2004523274.tif 000010
2004523274.tif 000011
2004523274.tif 000012
2004523274.tif 000013
2004523274.tif 000014
2004523274.tif 000015
2004523274.tif 000016
2004523274.tif 000017
2004523274.tif 000018
2004523274.tif 000019
2004523274.tif 000020
2004523274.tif 000021
2004523274.tif 000022
2004523274.tif 000023
2004523274.tif 000024
2004523274.tif 000025
2004523274.tif 000026
2004523274.tif 000027
2004523274.tif 000028
2004523274.tif 000029
2004523274.tif 000030
2004523274.tif 000031
2004523274.tif 000032
2004523274.tif 000033
【国際公開パンフレット（コレクトバージョン）】
2004523274.tif 000034
2004523274.tif 000035
【国際調査報告】
2004523274.tif 000036